(57)【要約】【課題】  メモリカードをカメラに装着しなくても、カメラがメモリカードの情報を簡単に読みとることができる、操作性の良い撮像システムを実現する。【解決手段】  撮像装置と、撮像装置に対して交換可能な記録媒体から構成される撮像システムであって、記録媒体は、情報を記憶する第１の記憶手段と、第１の記憶手段に記憶された情報を変調し、人体を介して送信する送信手段を有し、撮像装置は、記録媒体の送信手段から人体を介して送信された情報を受信して復調する受信手段と、受信手段で復調した情報を記憶する第２の記憶手段を有することを特徴とする撮像システム。【選択図】        図２
2007043283.tif 000002
【特許請求の範囲】
【請求項１】
撮像装置と、
該撮像装置に対して交換可能な記録媒体と、
から構成される撮像システムであって、
前記記録媒体は、
情報を記憶する第１の記憶手段と、
第１の記憶手段に記憶された情報を変調し、人体を介して送信する送信手段を有し、
前記撮像装置は、
前記記録媒体の送信手段から人体を介して送信された情報を受信して復調する受信手段と、
前記受信手段で復調した情報を記憶する第２の記憶手段を有することを特徴とする撮像システム。
【請求項２】
前記記録媒体または前記撮像装置の少なくとも一方は通信を開始するための操作部材を有し、
前記操作部材を操作することにより通信を開始することを特徴とする請求項１に記載の撮像システム。
【請求項３】
前記操作部材は人体と接触する電極部を有し、
電極部を介して通信信号を送信または受信することを特徴とする請求項２に記載の撮像システム。
【請求項４】
前記情報は記録媒体の容量に関する情報であることを特徴とする請求項１に記載の撮像システム。
【請求項５】
前記撮像装置は表示手段を有し、前記第２の記憶手段に記憶した情報を前記表示手段に表示することを特徴とする請求項１に記載の撮像システム。
【請求項６】
撮像装置と、該撮像装置に対して交換可能な記録媒体から構成される撮像システムに用いられる撮像装置であって、
前記撮像装置は、
前記記録媒体から人体を介して送信された情報を、受信して復調する受信手段と、
前記受信手段で復調した情報を、記憶する第２の記憶手段と、
を有することを特徴とする撮像装置。
【請求項７】
撮像装置に対して交換可能な記録媒体であって、
前記記録媒体は、
情報を記憶する第１の記憶手段と、
前記記録媒体または前記撮像装置の少なくとも一方に備えられた操作部材の操作に応答して、前記第１の記憶手段に記憶された前記情報を変調し、人体を介して撮像装置に送信する送信手段と、
を有することを特徴とする記録媒体。
【発明の詳細な説明】
【技術分野】
【０００１】
本発明は、撮像システム、撮像装置、記録媒体に関し、詳しくは記録媒体内の情報を読み出す装置、システムの関する。
【背景技術】
【０００２】
デジタルカメラやカメラ付き携帯電話などの記録媒体としてＣＦ（Ｃｏｍｐａｃｔ  Ｆｌａｓｈ）（登録商標）カード、ＳＤ（Ｓｅｃｕｒｅ  Ｄｉｇｉｔａｌ）カード、メモリースティック（Ｍｅｍｏｒｙ  Ｓｔｉｃｋ）といった記憶メディアが使用されている。デジタルカメラを使った撮影時には、複数の記録媒体を携行し、画像を記録することにより記録媒体の使用可能な空き容量が無くなってきたら、記録媒体を交換して以降の撮影を行うことが多い。
【０００３】
これらの記録媒体は、外観に全記録容量は表示されているが、外観からは使用済み容量または使用可能な空き容量、撮影可能枚数を確認することができない。これらを確認するためには、使用する機器に記録媒体を装着し、機器の表示部で確認することが一般に行われている。
【０００４】
記録媒体の使用済み容量または使用可能な空き容量を機器の表示部で確認する例としては、記録媒体をカメラに装着し、カメラ背面の表示部に、撮影可能枚数と使用可能容量を表示する方法が提案されている（例えば、特許文献１参照）。また、記録媒体をカメラに装着し、カメラの２つ以上の表示部に、記録媒体の空き容量または撮影可能な残り枚数を表示する方法が提案されている（例えば、特許文献２参照）。
【０００５】
一方、異なる２つの機器間におけるデータ通信を、人体を介して行なう人体通信が提案されている。
【０００６】
人体通信では、人体をケーブルの代わりとして、人体を流れる電流の変化により信号を伝送するので、ケーブル類を用いた有線通信と比べてケーブルを使わなければならない煩わしさがなくなるという利点がある。また、無線で伝送する場合と比べて、伝送距離が短いため少ない消費電力で信号を伝送でき、回路規模を小さくすることができる。
【０００７】
例えば、トレーニングでの脈拍や心拍数などを測定する計測器を耳に装着し、腕に装着する腕時計のような表示手段とのデータのやり取りを人体を介して行なう方法が提案されている（例えば、特許文献３参照）。また、腕時計のような形状の送信部を装着し、受信部を備えた端末に振れることにより、人体を介してデータを送信する方法が提案されている（例えば、特許文献４参照）。
【特許文献１】特開平６−２６１２８１号公報
【特許文献２】特開平６−３５０９５０号公報
【特許文献３】特開２００３−５５７号公報
【特許文献４】特開２００３−１３２０３１号公報
【発明の開示】
【発明が解決しようとする課題】
【０００８】
デジタルカメラの撮影において、使用可能な空き容量が多い記録媒体に交換する必要がある。しかしながら、記録媒体の使用済み容量または使用可能な空き容量、撮影可能枚数は、記録媒体を撮像装置に装着しないとわからないので、十分な枚数を撮影可能な記録媒体を選択するのに時間がかかることがあった。
【０００９】
本発明は、上記課題に鑑みてなされたものであって、人物が記録媒体と撮像装置に触れることで、撮像装置が記録媒体の情報を簡単に読みとることができる、操作性の良い撮像システム、撮像装置および記録媒体を提供することを目的とする。
【課題を解決するための手段】
【００１０】
本発明の目的は、下記構成により達成することができる。
【００１１】
（請求項１）
撮像装置と、
該撮像装置に対して交換可能な記録媒体と、
から構成される撮像システムであって、
前記記録媒体は、
情報を記憶する第１の記憶手段と、
第１の記憶手段に記憶された情報を変調し、人体を介して送信する送信手段を有し、
前記撮像装置は、
前記記録媒体の送信手段から人体を介して送信された情報を受信して復調する受信手段と、
前記受信手段で復調した情報を記憶する第２の記憶手段を有することを特徴とする撮像システム。
【００１２】
（請求項２）
前記記録媒体または前記撮像装置の少なくとも一方は通信を開始するための操作部材を有し、
前記操作部材を操作することにより通信を開始することを特徴とする請求項１に記載の撮像システム。
【００１３】
（請求項３）
前記操作部材は人体と接触する電極部を有し、
電極部を介して通信信号を送信または受信することを特徴とする請求項２に記載の撮像システム。
【００１４】
（請求項４）
前記情報は記録媒体の容量に関する情報であることを特徴とする請求項１に記載の撮像システム。
【００１５】
（請求項５）
前記撮像装置は表示手段を有し、前記第２の記憶手段に記憶した情報を前記表示手段に表示することを特徴とする請求項１に記載の撮像システム。
【００１６】
（請求項６）
撮像装置と、該撮像装置に対して交換可能な記録媒体から構成される撮像システムに用いられる撮像装置であって、
前記撮像装置は、
前記記録媒体から人体を介して送信された情報を、受信して復調する受信手段と、
前記受信手段で復調した情報を、記憶する第２の記憶手段と、
を有することを特徴とする撮像装置。
【００１７】
（請求項７）
撮像装置に対して交換可能な記録媒体であって、
前記記録媒体は、
情報を記憶する第１の記憶手段と、
前記記録媒体または前記撮像装置の少なくとも一方に備えられた操作部材の操作に応答して、前記第１の記憶手段に記憶された前記情報を変調し、人体を介して撮像装置に送信する送信手段と、
を有することを特徴とする記録媒体。
【発明の効果】
【００１８】
請求項１に記載の発明によれば、記録媒体の情報を撮像装置に送信する際に、人体を介して情報の送受信を行うので、記録媒体を撮像装置に装着しなくても、人物が記録媒体と撮像装置に触れるだけで記録媒体の情報を得ることが可能な、操作性の良い撮像システムを提供できる。
【００１９】
請求項２に記載の発明によれば、記録媒体または前記撮像装置の少なくとも一方の操作部材を操作することにより通信を開始するので、必要な時にデータの取得ができる操作性の良い撮像システムを提供できる。
【００２０】
請求項３に記載の発明によれば、操作部材は人体と接触する電極部を有しているので、操作部材を操作すると電極部に触れ、通信可能になる、操作性の良い撮像システムを提供できる。
【００２１】
請求項４に記載の発明によれば、前記情報は記録媒体の空き容量や使用済み容量などの容量に関する情報であるので、記録媒体をカメラに装着しなくとも空き容量のある記録媒体を選択できる、操作性の良い撮像システムを提供できる。
【００２２】
請求項５に記載の発明によれば、前記撮像装置は表示手段を有し、記録媒体の情報を前記表示手段に表示するので、記録媒体を装着しなくても撮像装置に記録媒体情報が表示される操作性の良い撮像システムを提供できる。
【００２３】
請求項６に記載の発明によれば、記録媒体の情報を撮像装置が受信する際に、人体を介して情報の受信を行うので、記録媒体を撮像装置に装着しなくても、記録媒体の情報を得ることが可能な、操作性の良い撮像装置を提供できる。
【００２４】
請求項７に記載の発明によれば、記録媒体の情報を撮像装置に送信する際に、操作部材の操作により人体を介して情報の送信を行うので、記録媒体を撮像装置に装着しなくても、記録媒体の情報を得ることが可能な、操作性の良い記録媒体を提供できる。
【発明を実施するための最良の形態】
【００２５】
以下、図面に基づき本発明の実施形態を説明する。
【００２６】
まず、本発明の実施形態について、図１を用いて説明する。
【００２７】
図１は、本発明の実施形態に係るカメラ１の一例を示す外観図である。図１（ａ）はカメラ１前面の斜視図、図１（ｂ）はカメラ１背面の斜視図である。
【００２８】
図１（ａ）において、１００はレンズ鏡胴であり、内部にはズーム撮像光学系が内包されている。１１１はファインダ窓、１１２はシャッタボタン、１１３はフラッシュ発光部、１１４は調光用センサ窓、１１５はストラップ取り付け部、１１６は外部入出力端子（例えば、ＵＳＢ端子）である。１１７はスライドバリアであり、開状態で図示のようにレンズ鏡胴１００は撮影可能状態となり、閉方向へ少し移動させることでレンズ鏡胴１００は沈胴する。すなわち、スライドバリア１１７の開閉に連動してカメラ１は起動状態またはオフ状態になる。
【００２９】
シャッタボタン１１２には、シャッタボタン１１２を押すと指と接触するように電極Ｃ  ２０１が設けられている。また、カメラ１の上面には人体を介して通信するためのもう一方の電極Ｄ  ２０２が設けられている。
【００３０】
なお、電極Ｃ  ２０１は通信時に指など人体に接触するように配置されれば良く、シャッタボタン１１２上に限定されるものではない。例えば、電極Ｃ  ２０１を後述する再生ボタン１２６や選択ボタン１２４など他のボタン上に配置しても良いし、グリップ部など筐体表面の一部に配置しても良い。一方、電極Ｄ  ２０２はカメラ１が後述するメモリカード２５と通信時に、人体の近くで人体に接触しない位置に配置されれば良く、カメラ１の下面や筐体内部などに配置しても良い。
【００３１】
シャッタボタン１１２はその１段の押し込みによりＯＮになるＳＷ１  １８１と、さらに、その２段の押し込みによりＯＮになるＳＷ２  １８２が連動している。シャッタボタン１１２を１段押し込むと（ＳＷ１  ＯＮ）、カメラ１はメモリカード２５の情報を人体を介して受信する。また、撮影準備動作として焦点合わせ動作や測光動作が行われる。さらに、シャッタボタン１１２を２段押し込むと（ＳＷ２  ＯＮ）、撮影露光動作が行われる。
【００３２】
図１（ｂ）において、１２０はファインダ接眼部、１２１は赤と緑の表示ランプであり、ＡＦやＡＥの情報を、点灯もしくは点滅により撮影者に表示するものである。１２２はズームボタンであり、ズームアップ、ズームダウンをおこなうボタンである。１２３はメニュー／セットボタン、１２４は選択ボタンで４方向スイッチであり、１２５は画像表示部であり画像やその他文字情報等を表示する。メニュー／セットボタン１２３で、画像表示部１２５上に各種のメニューを表示させ、選択ボタン１２４でいずれかのメニューを選択し、メニュー／セットボタン１２３で確定させる機能を有している。例えば、操作者は画像表示部１２５上に表示されるメニューから静止画モード、動画モードなどの撮影モードを選択ボタン１２４で選択し、メニュー／セットボタン１２３で確定させることで撮影モードを選択できる。
【００３３】
再生ボタン１２６を押すと再生モードになり、撮影した画像の再生をおこなうことができる。１２７はディスプレイボタンで、画像表示部１２５に表示された画像やその他文字情報の表示や消去を選択するボタンである。再生モードにおいて、操作者は画像表示部１２５上に表示される複数の縮小画像や文字を選択ボタン１２４で選択し、メニュー／セットボタン１２３で確定させることで、再生や編集する画像を選択できる。
【００３４】
１２８は消去ボタンであり、撮影記録した画像の消去をおこなうボタンである。１２９は三脚穴、１３０は電池／カード蓋である。電池／カード蓋１３０の内部には、本カメラの電源を供給する電池と、撮影した画像を記録するカード用のスロットが備えられており、電池及び画像を記録するＣＦカード、ＳＤカードなどのカード型の記録媒体である後述するメモリカード２５が挿脱可能になっている。
【００３５】
図２は、本発明の実施形態に係る記録媒体の一例であるメモリカード２５の外観図である。図２（ａ）はメモリカード２５の表面の外観図、図２（ｂ）はメモリカード２５の裏面の外観図である。
【００３６】
メモリカード２５の表面には、操作ボタン３０３ａが配置され、操作ボタン上に人体を介してカメラ１と通信するための電極Ａ  ３０１が設けられている。また、メモリカード２５の裏面を構成する基板の裏側に、人体を介して通信するためのもう一方の電極Ｂ  ３０２が設けられており、直接人体と触れないようになっている。
【００３７】
なお、電極Ａ  ３０１はメモリカード２５がカメラ１と通信時に人体に接触するか、もしくはポケットの中など人体に非常に近い位置になるように配置されば良く、図２（ａ）の位置に限定されるものではない。一方、電極Ｂ  ３０２はメモリカード２５がカメラ１と通信時に、人体の近くで人体に接触しない位置に配置されれば良く、メモリカード２５の内部などに配置しても良い。
【００３８】
以下、メモリカード２５が、カメラ１に装着されている場合はメモリカード２５ａとし、カメラ１に装着されていない場合は、メモリカード２５ｂと表記して区別する。
【００３９】
図３は、本発明に係る撮像システム１０の実施の形態における回路ブロック図である。撮像システム１０はカメラ１とメモリカード２５から構成される。図中、図１、図２と同じ部分には同じ番号を付与した。
【００４０】
最初に、デジタルカメラであるカメラ１について説明する。
【００４１】
カメラ制御部７は、カメラＣＰＵ７０（中央処理装置）、カメラＲＡＭ７５，カメラＲＯＭ７６等から構成され、不揮発性の記憶部であるカメラＲＯＭ７６に記憶されているプログラムをカメラＲＡＭ７５に読み出し、当該プログラムに従ってレンズ鏡胴１００を含むカメラ１の各部を集中制御する。カメラＲＡＭ７５は本実施形態おける第２の記憶手段である。
【００４２】
撮影時において、カメラ制御部７はＣＣＤ５の画像出力から得られるピント情報と露出情報に基いて、ズームフォーカス駆動部３３２を制御して、レンズ群３２を駆動し、絞りシャッタ駆動部３３１を制御して、絞り３２を駆動する。また、カメラ制御部７は、ＣＣＤ５によって撮像された画像のライブビューを、ディスプレイボタン１２７の設定に従って、画像表示部１２５に表示する。
【００４３】
カメラ制御部７は、撮影に関するシーケンスを司っている。カメラ制御部７は、ＣＣＤ駆動部６を介してＣＣＤ５の撮像動作を制御する。なお、撮像素子は、本実施形態のＣＣＤに代えて、ＣＭＯＳセンサ、ＣＩＤセンサ等の固体撮像素子であってもよい。ＣＣＤ５にて取得されたアナログ信号の画像はＡ／Ｄ変換部２１にてノイズ除去の処理後デジタル信号に変換され、画像処理部２２に画像のデジタル信号を順次出力する。
【００４４】
画像処理部２２はガンマ補正、輪郭補正、画像の拡大、縮小、画像圧縮、画像合成などの画像処理機能を有する。これらの画像処理もカメラ制御部７の指令により行われる。
【００４５】
カメラ制御部７はＣＣＤ５の画像出力を画像処理後、静止画ファイルまたは動画ファイルとして、画像メモリ２３に一旦記録する。次に、カメラ制御部７は、画像メモリ２３に一時記録された画像ファイルを、図示せぬコネクタ８５によりカメラ１に装着されたメモリカード２５ａに記録する。
【００４６】
また、カメラ制御部７は、操作部６０に設けられたシャッタボタン１１２、ズームボタン１２２、メニュー／セットボタン１２３、選択ボタン１２４、再生ボタン１２６、ディスプレイボタン１２７、消去ボタン１２８、スライドバリア１１７等からの入力を受信してカメラ１全体を制御し、図示せぬ電源部を制御することでカメラ各部に電源を供給する。
【００４７】
シャッタボタン１１２には半押しでＯＮになるスイッチＳＷ１  １８１と全押しでＯＮになるスイッチＳＷ２  １８２が連動しており、カメラ制御部７がシャッタボタン１１２の半押し（ＳＷ１  ＯＮ）、全押し（ＳＷ２  ＯＮ）のタイミングを検知できるようになっている。
【００４８】
電極Ｃ２０１、電極Ｄ２０２が接続された受信部２００は本実施形態の受信手段である。
【００４９】
カメラ制御部７は受信部２００が受信して復調した情報を、本実施形態の第２の記憶手段であるカメラＲＡＭ７５に記憶する。人体を介しての通信の手順については後で詳しく説明する。
【００５０】
カメラ制御部７は、カメラＲＡＭ７５に記憶された情報、すなわち、カメラ１に装着されていないメモリカード２５ｂの使用済み容量または使用可能な空き容量を画像表示部１２５に表示する。
【００５１】
メモリカード２５ａとメモリカード２５ｂは同じ内部構成の記録媒体であり、メモリカード２５ａはカメラに装着されているのに対し、メモリカード２５ｂはカメラ１に装着されていない状態である。ここでは、メモリカード２５ｂの内部ブロック図を用いてメモリカード２５の各機能を説明する。
【００５２】
メモリカード２５ｂは、フラッシュメモリなどの大容量の後述するメモリ８４のほか、メモリ容量を管理するメモリカードマイコン部３２０、本実施形態の操作部材である操作ボタン３０３ａと、後述する操作ボタン３０３ａに連動する通信開始スイッチ３０３、人体を介しての通信手段である送信部３００、などから構成され、メモリカードマイコン部３２０が各部を制御している。
【００５３】
メモリカードマイコン部３２０はカードＣＰＵ３２１、カードＲＡＭ３２２，カードＲＯＭ３２３等から構成され、不揮発性の記憶部であるカードＲＯＭ３２３に記憶されているプログラムをカードＲＡＭ３２２に読み出し、当該プログラムに従ってメモリ８４、操作ボタン８３、送信部３００を含むメモリカード２５の各部を集中制御する。
【００５４】
また、メモリカードマイコン部３２０は、メモリ８４にアクセスし、使用済み容量または使用可能な空き容量を読みとって、カードＲＡＭ３２２に記憶する。カードＲＡＭ３２２は本実施形態における第１の記憶手段である。
【００５５】
送信部３００は本実施形態における送信手段である。送信部３００と接続される電極Ａ３０１、電極Ｂ３０２とカメラ１の受信部２００に接続される電極Ｃ２０１、電極Ｄ２０２の間で人体を介して通信が行われる。人体を介しての通信については後で詳しく説明する。メモリカードマイコン部３２０はカードＲＡＭ３２２に記憶した情報を、送信部３００を制御して送信する。
【００５６】
図４は、本発明の実施の形態において、人体を介して通信する際の伝送経路を説明する説明図である。
【００５７】
図４に示すように、電極Ａ  ３０１と電極Ｃ  ２０１が、人体と電気的に接続されることにより、「電極Ａ  ３０１→人体→電極Ｃ  ２０１」というルートが構成される。メモリカード２５の電極Ａ  ３０１と人体との界面のインピーダンス値をＺ〔電極Ａ−人〕、人体のインピーダンス値をＺ〔人〕、人体とカメラ１の電極Ｃとの界面のインピーダンス値をＺ〔電極Ｃ−人〕とすると、「電極Ａ  ３０１→人体→電極Ｃ  ２０１」の間のインピーダンス値はＺ〔電極Ａ−人〕＋Ｚ〔人〕＋Ｚ〔電極Ｃ−人〕である。
【００５８】
一方、電極Ｂ  ３０２と人体との界面インピーダンス値は、電極Ａ  ３０１と人体との界面のインピーダンス値より大きくなるように電極を設けている。同様に、電極Ｄ  ２０２と人体との界面インピーダンス値は、電極Ｃ  ２０１と人体との界面のインピーダンス値より大きくなるように電極を設けているので、電極Ｂ  ３０２と電極Ｄ  ２０２は静電結合し、「電極Ｂ  ３０２→電極Ｄ  ２０２」というルートが構成される。このルートのインピーダンス値は、メモリカード２５の電極Ｂ  ３０２とカメラ１の電極Ｄ  ２０２との静電結合のインピーダンス値Ｚ〔電極Ｂ−電極Ｄ〕である。
【００５９】
図５はこの２つの伝送経路を、上記のインピーダンス値を用いて等価回路で表現した等価回路図である。受信部２００の入力インピーダンス値をＺ〔受〕とすれば、単純な電圧分配により、Ｚ〔受〕にかかる電圧を検出することによって、送信部３００から受信部２００への伝送信号を検出でき、通信が実現される。
【００６０】
本実施の形態により、メモリカード２５ｂからカメラ１までの通信が実現され、伝送線を必要とせず、また、無線発信機構を有さないので、小型、低コスト化が実現できる。
【００６１】
図６は本発明の実施形態における送信部３００を説明するためのブロック図、図７は本発明の実施形態における受信部２００のブロック図である。
【００６２】
図６に示すように、送信部３００は、人体に対するインピーダンス値が小さい送信電極である電極Ａ  ３０１と、それに比較してインピーダンス値が大きい送信電極である電極Ｂ  ３０２を備えている。
【００６３】
送信部３００は搬送波周波数を発生するＰＬＬ等の発振手段３０４と、その搬送波周波数に重畳して変調信号を生成する変調手段３０５と、変調信号に対応する電圧を印加する電圧印加手段３０６と、を備えている。
【００６４】
操作ボタン３０３ａを押すと、連動する通信開始スイッチ３０３がＯＮになり、メモリカードマイコン部３２０は、図示せぬ電源部に指令し、各部に給電を開始するように構成されている。なお、メモリカードマイコン部３２０には低消費電力モードで常時給電されている。
【００６５】
メモリカードマイコン部３２０はメモリ８４にアクセスし、メモリ８４の使用済み容量または使用可能な空き容量の情報を得る。メモリカードマイコン部３２０の出力端子は変調手段３０５に接続されているので、使用済み容量または使用可能な空き容量の情報を出力すれば、変調手段３０５で変調され、伝送信号として伝送されるようになっている。
【００６６】
また、送信部３００には、回路の基準電位となる回路グランド（図示せず）が設けられるが、この回路グランドを電極Ａ  ３０１、又は電極Ｂ  ３０２のいずれか一方として形成すれば、別途回路グランドの電極を設けなくてもよい。
【００６７】
図７ではシャッタボタン１１２に人体と接触する電極Ｃ  ２０１を形成した受信部２００の実施形態を説明する。
【００６８】
受信部２００には、人体に対するインピーダンス値が小さい受信電極である電極Ｃ  ２０１と、それに比較してインピーダンス値が大きい受信電極である電極Ｄ  ２０２を備えている。
【００６９】
シャッタボタン１１２を半押しにすると（ＳＷ１  ＯＮ）、カメラ制御部７は図示せぬ電源部を制御し、受信部２００が受信可能になるように制御する。このとき、人体（指）がシャッタボタン１１２に触れているので、電極Ｃ  ２０１と人体を介して信号を受信できる経路ができる。
【００７０】
受信部２００は、送信部３００の搬送波周波数のみを取り出すことができるように調節されたフィルタ手段２０３と、フィルタ手段２０３の出力信号を増幅するアンプ等の増幅手段２０４と、増幅手段２０４の出力から変調された伝送信号を復調する復調手段２０５と、を備えている。なお、受信部２００には、回路の基準電位となる回路グランド（図示せず）が設けられるが、この回路グランドを人体に対するインピーダンス値が小さい方の電極である電極Ｃ  ２０１として形成してもよい。
【００７１】
また、電極Ａ  ３０１、電極Ｃ  ２０１は、それぞれ電極Ｂ  ３０２、電極Ｄ  ２０２の人体に対するインピーダンス値より小さくなるように設けられていればよく、例えば、電極Ａ  ３０１及び電極Ｃ  ２０１が、人体に近設されており、電極Ｂ  ３０２及び電極Ｄ  ２０２が人体から離設されていればよい。さらに、電極と人体との電気的接続を阻止するものでなければ、人体と電極との間に繊維やケーシング材料等が介在してもよく、直接人体に触れる必要はない。
【００７２】
本実施の形態により、メモリカード２５ｂからカメラ１までの通信が実現され、伝送線を必要とせず、また、無線発信機構を有さないので、小型、低コスト化が実現できる。
【００７３】
図８は本発明の実施の形態におけるメモリカード２５ｂが行うデータ送信の概略の手順を説明するフローチャートである。
【００７４】
メモリカードマイコン部３２０は通信開始スイッチ３０３がＯＮかどうか、判定する（ステップＳ１０１）。通信開始スイッチ３０３がＯＮではない場合（ステップＳ１０１；Ｎｏ）ステップＳ１０１に戻り、再度通信開始スイッチ３０３がＯＮかどうか、判定する。通信開始スイッチ３０３がＯＮの場合（ステップＳ１０１；Ｙｅｓ）、メモリカードマイコン部３２０は送信部３００の図示せぬ電源をＯＮにし、データの数Ｎの情報を含むデータ送信開始信号を人体を介して送信する（ステップＳ１０２）。データは例えば使用済み容量、使用可能な空き容量などであり、各データを２バイトデータとして送信する。各データを識別するため、送信する順に固有の番号Ｎを割り当てている。例えばデータ１は使用済み容量、データ２は使用可能な空き容量である。
【００７５】
ステップＳ１０３ではメモリカードマイコン部３２０は内部の第１の記憶手段であるカードＲＡＭ３２２のデータ１を読み出し、送信部３００から変調信号を人体を介して送信する（ステップＳ１０３）。ステップＳ１０４までの間、データ２〜Ｎまで順次送信する（ステップＳ１０４）。
【００７６】
データＮまで送信を終えると、メモリカードマイコン部３２０はデータ送信終了信号を送信する（ステップＳ１０５）。これで、データ１〜Ｎの送信は終了し、ステップＳ１０１に戻る。通信開始スイッチ３０３がＯＮのままの場合（ステップＳ１０１；Ｙｅｓ）、再度データ１〜Ｎの送信を行う。
【００７７】
本実施の形態では通信開始スイッチ３０３を設け、メモリーカードマイコン部３２０は常に通信開始スイッチ３０３の状態を監視し、通信開始スイッチ３０３がＯＮの場合にデータを送信するように構成している。別の実施形態としては、通信開始スイッチ３０３を無くしてステップＳ１０１を省略し、常にデータを繰り返し送信するようにしても良い。
【００７８】
図９は本発明の実施の形態におけるカメラ１が行うデータ受信の概略の手順を説明するフローチャートである。このとき、操作者は例えば右手でカメラ１のシャッタボタン１１２を押し、電極Ａ  ３０１に指が触れている状態であり、もう一方の手にはメモリカード２５を持ち、操作ボタン３０３ａを押し、通信開始スイッチ３０３がＯＮになっているものとする。また、本実施の形態では、カメラ制御部７は、内部タイマーにより一定時間間隔でシャッタボタン１１２の状態を監視し、シャッタボタン１１２を半押し（ＳＷ１  ＯＮ）にすると、人体を介しての伝送信号を受信可能となり、通信を開始するものとする。
【００７９】
ステップＳ２０１において、カメラ制御部７はシャッタボタン１１２が半押し（ＳＷ１  ＯＮ）かどうか、を判定する。半押し（ＳＷ１  ＯＮ）ではない場合（ステップＳ２０１；Ｎｏ）ステップＳ２０１に戻り、再度半押し（ＳＷ１  ＯＮ）か、どうか、判定する。シャッタボタン１１２が半押し（ＳＷ１  ＯＮ）の場合（ステップＳ２０１；Ｙｅｓ）、カメラ制御部７は受信部２００の図示せぬ電源をＯＮにし、送信部３００からのデータ送信開始信号の受信を開始する（ステップＳ２０２）。データ送信開始信号を所定時間以内に受信できなかったときは（ステップＳ２０２；Ｎｏ）、ステップＳ２０１に戻る。データ送信開始信号を所定時間以内に受信できたときは（ステップＳ２０２；Ｙｅｓ）、データ送信開始信号に含まれるデータの数Ｎの情報を得て、順次データ１から受信する（ステップＳ２０３）。
【００８０】
データ１を所定時間以内に受信できなかったときは（ステップＳ２０３；Ｎｏ）、ステップＳ２０１に戻る。データ１を所定時間以内に受信できたときは（ステップＳ２０３；Ｙｅｓ）受信したデータをカメラＲＡＭ７５に記憶する。
【００８１】
次にデータ２〜Ｎまで順次データを受信する（ステップＳ２０４）。データＮを所定時間以内に受信できなかったときは（ステップＳ２０４；Ｎｏ）、ステップＳ２０１に戻る。データＮを所定時間以内に受信できたときは（ステップＳ２０４；Ｙｅｓ）、受信したデータを順にカメラＲＡＭ７５に記憶する。次に、データ終了信号を所定時間以内に受信できなかったとき（ステップＳ２０５；Ｎｏ）は、ステップＳ２０１に戻る。データ終了信号を所定時間以内に受信できたときは（ステップＳ２０５；Ｙｅｓ）、カメラ制御部７はデータ１〜Ｎをすべて正常に受信し、第２の記憶手段であるカメラＲＡＭ７５に記憶されている。このように、メモリカード２５ｂの空き容量に関するデータを、メモリカード２５ｂをカメラ１に装着する前に取得することができる。
【００８２】
次に、ステップＳ２０６において、カメラ制御部７は画像表示部１２５に受信した使用済み容量、使用可能な空き容量を所定の時間表示し、ステップＳ２０１に戻る（ステップＳ２０６）。このようにして、操作者はメモリカード２５ｂの空き容量を、カメラ１に装着しなくても知ることができる。
【００８３】
なお、本実施の形態では操作者がシャッタボタン１１２を半押し（ＳＷ１  ＯＮ）にしたとき、受信部２００が受信を開始するようにしているが、受信を開始する操作部材はシャッタボタン１１２に限定されるものではなく、ほかのスイッチやボタンでも良い。また、スイッチやボタンの操作に関係なく常時受信部２００が受信するようにしても良い。
【００８４】
以上のように本実施の形態によれば、人物が記録媒体と撮像装置に触れることで、撮像装置が記録媒体の情報を簡単に読みとることができる、操作性の良い撮像システム、撮像装置および記録媒体を提供できる。
【００８５】
なお、本実施形態の撮像装置としてデジタルカメラを例示したが、カメラ付き携帯電話などにも適用可能である。
【図面の簡単な説明】
【００８６】
【図１】本発明に係るカメラ１の外観図である。
【図２】本発明に係るメモリカード２５の外観図である。
【図３】本発明の実施形態における撮像システム１０の回路ブロック図である。
【図４】本発明の実施の形態における伝送経路を説明する説明図である。
【図５】２つの伝送経路を、上記のインピーダンス値を用いて等価回路で表現した等価回路図である。
【図６】本発明の実施形態における送信部と周辺の回路ブロック図である。
【図７】本発明の実施形態における受信部と周辺の回路ブロック図である。
【図８】本発明の実施形態におけるメモリカード２５で行われるデータ送信時の処理の流れを示すフローチャートである。
【図９】本発明の実施形態におけるカメラ１で行われるデータ受信時の処理の流れを示すフローチャートである。
【符号の説明】
【００８７】
１  デジタルカメラ
７  メインマイコン部
１０  撮像システム
２５  メモリカード
２００  受信部
２０１  電極Ｃ
２０２  電極Ｄ
３００  送信部
３０１  電極Ａ
３０２  電極Ｂ
３０３  通信開始スイッチ
３２０  カードマイコン部
【図１】
2007043283.tif 000003
【図２】
2007043283.tif 000004
【図３】
2007043283.tif 000005
【図４】
2007043283.tif 000006
【図５】
2007043283.tif 000007
【図６】
2007043283.tif 000008
【図７】
2007043283.tif 000009
【図８】
2007043283.tif 000010
【図９】
2007043283.tif 000011